(57)【要約】【課題】  簡単な構造で輸送時や設置時の衝撃による破損を防止し、作業効率を向上させる。【解決手段】  ディスクアレイ装置２は、ディスクアレイ１５を収納するハウジング１０と、ハウジング１０が載置される台車１１と、ハウジング１０と台車１１との間に配置され、ハウジング１０に加わる衝撃を吸収するための緩衝材７０と、緩衝材７０を伸縮させながら、ハウジング１０が台車１１上で上下動し得るように、ハウジング１０と台車１１とを連結する六角ボルト７３およびナット７９とからなる。ハウジング１０に衝撃や振動が加わると、緩衝材７０が衝撃や振動が加わった方向に圧縮変形され、六角ボルト７３が挿入穴７４、７８に沿って移動する。凹部８０を形成するハウジング１０の内壁面が、台車１１の側板に沿って移動し、緩衝材７０の復元力によりハウジング１０が定常状態に戻される。【選択図】        図７
2005063514.tif 000002
【特許請求の範囲】
【請求項１】
電子装置を収納するハウジングと、
キャスターを備え、前記ハウジングが載置される台車と、
前記ハウジングと前記台車との間に配置され、ハウジングに加わる衝撃を吸収するための緩衝材と、
この緩衝材を伸縮させながら、ハウジングが台車上で上下動し得るように、ハウジングと台車とを連結する連結部材とからなることを特徴とする可搬型電子機器。
【請求項２】
前記緩衝材は、前記ハウジングの底板と、前記台車の上板との間に配置されていることを特徴とする請求項１に記載の可搬型電子機器。
【請求項３】
前記緩衝材として、弾性ゴム、またはウレタンフォームを用いたことを特徴とする請求項１または２に記載の可搬型電子機器。
【請求項４】
前記緩衝材は、平行に配置された複数の台形ブロックであることを特徴とする請求項１ないし３のいずれかに記載の可搬型電子機器。
【請求項５】
前記連結部材として、ボルトおよびナットを用いるとともに、
前記ボルトは、前記ハウジングの底板に設けた穴と、前記台車の上板に設けた穴とに挿通され、
前記ナットは、前記ボルトが２つの穴から抜け出ないように、前記ボルトに螺合されていることを特徴とする請求項１ないし４のいずれかに記載の可搬型電子機器。
【請求項６】
前記電子装置は、複数のハードディスクドライブであることを特徴とする請求項１ないし５のいずれかに記載の可搬型電子機器。
【請求項７】
前記緩衝材に所定の荷重が加わった状態で、前記ボルトおよびナットが、前記ハウジングの底板と前記台車の上板とに、それぞれ軽く接触していることを特徴とする請求項１ないし６のいずれかに記載の可搬型電子機器。
【請求項８】
前記ハウジングまたは前記台車のいずれか一方に凹部を形成し、この凹部内に、他方が相対的に上下動し得るように嵌合していることを特徴とする請求項７に記載の可搬型電子機器。
【発明の詳細な説明】
【技術分野】
【０００１】
本発明は、電子装置を運搬可能に収納する可搬型電子機器に関する。
【背景技術】
【０００２】
電子機器、例えば複数のハードディスクドライブ（ＨＤＤ）が収納されたディスクアレイ装置では、従来、輸送時や設置時の衝撃によりＨＤＤが破損することを回避するために、装置本体とは別にＨＤＤを梱包・輸送し、装置本体の設置後に据え付けていた。このため、梱包や輸送に掛かる費用が割高となり、また、ＨＤＤの扱いに細心の注意を払わなければならず、作業効率が悪くなるという問題があった。
【０００３】
上記のような問題を解決するために、対面状態にされた第１の外殻体と第２の外殻体のそれぞれの内面側に配され、第１の外殻体と第２の外殻体とを対面状態にした際に、被保護体の表面に接触する緩衝体と、第１の外殻体と第２の外殻体とを対面状態でロックするロック手段と、第１の外殻体および第２の外殻体の双方または一方に設けられ、他の物体に取り付ける際に使用される取付部材とを備えた保護具が提案されている（特許文献１参照）。
【０００４】
特許文献１に記載の保護具によれば、緩衝体が被保護体の表面に接触し、緩衝体が第１および第２の外殻体と被保護体との間に挟まれるので、輸送時の振動や衝撃によって被保護体が破損されることを防止することができる。また、本体設置後には、被保護体をロック手段で第１の外殻体と第２の外殻体との一方側に押圧することで、被保護体と緩衝体とがより密着されるので、ＨＤＤ動作時の自己振動を減衰させることができる。
【０００５】
【特許文献１】特開２００１−１１４３４４号公報
【発明の開示】
【発明が解決しようとする課題】
【０００６】
しかしながら、特許文献１に記載の保護具は、構造が複雑で部品点数が多く、ＨＤＤ１台に対して１組用意しなければならないので、部品コスト、および製造工数が嵩むという問題があった。また、本体設置後にロック手段で被保護体を押圧するという作業があるため、作業者の負担や作業者に対する指示を完全に無くすまでには至らなかった。さらに、従来のディスクアレイ装置は、据え置き型として設計されているので、ＨＤＤにデータを格納した状態で別の場所に運搬してデータ解析をするということは、これまで全く考慮されていない。
【０００７】
本発明は、上記課題を鑑みてなされたものであり、簡単な構造で輸送時や設置時の衝撃による破損を防止することができる可搬型電子機器を提供することを目的とする。      
【０００８】
また、本発明は、輸送時や設置時の作業効率を向上させることができる可搬型電子機器を提供することを目的とする。
【課題を解決するための手段】
【０００９】
上記目的を達成するために、本発明は、電子装置を収納するハウジングと、キャスターを備え、前記ハウジングが載置される台車と、前記ハウジングと前記台車との間に配置され、ハウジングに加わる衝撃を吸収するための緩衝材と、この緩衝材を伸縮させながら、ハウジングが台車上で上下動し得るように、ハウジングと台車とを連結する連結部材とからなることを特徴とする。
【００１０】
なお、前記緩衝材は、前記ハウジングの底板と、前記台車の上板との間に配置されていることが好ましい。また、前記緩衝材として、弾性ゴム、またはウレタンフォームを用いることが好ましい。さらに、前記緩衝材は、平行に配置された複数の台形ブロックであることが好ましい。
【００１１】
なお、前記連結部材として、ボルトおよびナットを用いるとともに、前記ボルトは、前記ハウジングの底板に設けた穴と、前記台車の上板に設けた穴とに挿通され、前記ナットは、前記ボルトが２つの穴から抜け出ないように、前記ボルトに螺合されていることが好ましい。また、前記電子装置は、複数のハードディスクドライブであることが好ましい。
【００１２】
また、前記緩衝材に所定の荷重が加わった状態で、前記ボルトおよびナットが、前記ハウジングの底板と前記台車の上板とに、それぞれ軽く接触していることが好ましい。さらに、前記ハウジングまたは前記台車のいずれか一方に凹部を形成し、この凹部内に、他方が相対的に上下動し得るように嵌合していることが好ましい。
【発明の効果】
【００１３】
本発明の可搬型電子機器によれば、電子装置を収納するハウジングと、キャスターを備え、ハウジングが載置される台車と、ハウジングと台車との間に配置され、ハウジングに加わる衝撃を吸収するための緩衝材と、この緩衝材を伸縮させながら、ハウジングが台車上で上下動し得るように、ハウジングと台車とを連結する連結部材とからなるので、簡単な構造で輸送時や設置時の衝撃による破損を防止することができる。また、輸送時や設置時の作業効率を向上させることができる。
【発明を実施するための最良の形態】
【００１４】
図１および図２において、本発明を適用したディスクアレイ装置２は、箱型のハウジング１０と、このハウジング１０が載置される箱型の台車１１とから構成される。台車１１には、片側２個ずつ、計４個のキャスター１２が取り付けられており、ハウジング１０が載置された状態で運搬可能となっている。なお、ハウジング１０および台車１１は、アルミやステンレスなどの金属材料で作製されている。
【００１５】
ハウジング１０は、本体１３と蓋体１４とからなる。本体１３内には、複数のハードディスクドライブ（ＨＤＤ）３１（図３参照）が並べられたディスクアレイ１５や冷却ファン１６などが搭載されている。本体１３の上部には、ディスクアレイ装置２を運搬する際に把持される把手１７が設けられている。また、側面には、ディスクアレイ１５や冷却ファン１６を挿入するための開口１８が形成されている。
【００１６】
蓋体１４には、冷却ファン１９や、ディスクアレイ装置２をネットワーク接続するための機器（マザーボード、ＣＰＵ、メモリ、ネットワークカードなど、図示せず）が搭載されている。蓋体１４は、ヒンジ２０によって本体１３に対して開閉自在となっており、パッチン錠２１により本体１３に固定される。この蓋体１４の正面２２には、各種操作ボタンや表示灯、カードスロットなどが設けられている。
【００１７】
蓋体１４内に搭載された機器のメンテナンスを行う際には、パッチン錠２１による本体１３と蓋体１４との係合を解除し、ヒンジ２０を軸にして蓋体１４を矢印Ａ方向に回動させる。なお、この蓋体１４内に搭載された機器は、それ自体が自立したファイルサーバの機能を有している。
【００１８】
図３に示すように、ディスクアレイ１５は、箱型の本体３０と、ハードディスクや読み取りヘッドなどが内蔵されたＨＤＤ３１を保持する８個のホルダ３２とから構成される。本体３０とホルダ３２とは、高い剛性を有する金属材料、例えばアルミやステンレスなどの厚板から形成される。本体３０の上部および下部には、開口３３および３４（図５参照）が形成されている。ホルダ３２は、開口３３を介して、本体３０から矢印Ｂ方向に挿脱可能となっている。また、開口３４から、ＨＤＤ３１の駆動による熱が放熱される。
【００１９】
本体３０の上部には、本体３０の両側板３５の上端が開口３３の外側に折り曲げられた一対の折り曲げ部３６が設けられている。この折り曲げ部３６には、ビス３７が螺合するビス穴３８が形成されている。ホルダ３２は、ビス３７により本体３０に締結固定される。そして、本体３０の両側板３５に挟まれるように支持され、本体３０内に等間隔で並べて据え付けられる。
【００２０】
図４に示すように、ホルダ３２は、上部および下部に開口４０および４１を有する四角筒状をしており、その内部にＨＤＤ３１が保持されている。ホルダ３２の前面には、４本のビス４２が挿入される挿入穴４３が形成されている。ＨＤＤ３１には、ビス４２と螺合する図示しないビス穴が形成されている。ＨＤＤ３１は、ビス４２によりホルダ３２に締結固定される。
【００２１】
ホルダ３２の上部には、ビス３７が挿入される挿入穴４４が形成された一対のフランジ部４５が設けられている。また、ホルダ３２の両側板４６には、嵌合片４７が設けられている。この嵌合片４７は、ホルダ３２の挿着方向に向かって先細となる略Ｖ字状に形成されている。
【００２２】
図５に示すように、ディスクアレイ１５の本体３０の両側板３５の内側には、金属製の受け板５０がビス５１により締結固定されている。受け板５０には、ホルダ３２の並び方向の位置決めを行い、ホルダ３２をその挿着方向に受ける受け溝５２が等間隔で形成されている。この受け溝５２は、ホルダ３２の嵌合片４７と同様に、略Ｖ字状に形成されている。なお、図５では、ディスクアレイ１５の上部の図示を省略してある。
【００２３】
図６の拡大図に示すように、嵌合片４７のＶ字に傾斜した２辺６０は、これらと対向する受け溝５２のＶ字に傾斜した２辺６１と当接する。これにより、ホルダ３２を本体３０に挿着した状態では、ホルダ３２の並び方向にある程度の遊びができ、ホルダ３２は、その並び方向に自由度をもって動くことができる。
【００２４】
ディスクアレイ１５をディスクアレイ装置２に搭載する際には、まず、開口４０からホルダ３２内にＨＤＤ３１を挿入し、ビス４２でＨＤＤ３１をホルダ３２に締結固定する。そして、開口３３を介してホルダ３２を本体３０内に挿着する。このとき、図６に示すように、嵌合片４７と受け溝５２とを、それぞれの傾斜辺６０、６１が当接するように嵌合させる。
【００２５】
８個のホルダ３２を本体３０内に並べて挿着した後、フランジ部４５の挿入穴４４にビス３７を挿入し、ビス穴３８にビス３７を螺合させて、各ホルダ３２を本体３０に締結固定する。このとき、ホルダ３２がその並び方向に自由度をもって動くので、ビス穴３８とビス３７とを容易に螺合させることができる。また、各ホルダ３２がビス３７で締結固定された後は、各ホルダ３２と本体３０とが１つの剛体として機能するので、ＨＤＤ３１による振動の伝搬を抑止することができる。なお、受け板５０に嵌合片を設け、ホルダ３２の両側板４６に受け溝を設けてもよい。
【００２６】
図７および図８に示すように、台車１１の上板１１ａには、ハウジング１０の荷重を分散させることができるように、緩衝材７０が取り付けられている。この緩衝材７０は、弾性ゴム、または高反発ウレタンフォームからなり、ハウジング１０の荷重を効率良く分散させるために、断面台形の縦長なブロック形をしている。緩衝材７０は、ハウジング１０を台車１１に載置したときに、ハウジング１０に加わる強い衝撃から微弱な振動までを吸収する。なお、この実施例では、緩衝材７０が平行且つ等間隔に３個並べられているが、ハウジング１０の荷重を分散させることができればよく、緩衝材７０の個数や配置は特に限定されない。
【００２７】
ハウジング１０には、底板７１が取り付けられる。底板７１は、ハウジング１０を台車１１に載置した際に、ハウジング１０の荷重を緩衝材７０に均等に伝達させる。底板７１は、台車１１の外形と同寸法に形成された底板本体７１ａと、この底板本体７１ａの四辺を囲む側板７１ｂと、側板７１ｂから延設されたフランジ部７１ｃとから構成される。      
【００２８】
底板本体７１ａには、４本の六角ボルト７３が挿入される４個の挿入穴７４が形成されている。フランジ部７１ｃには、底板カバー７２を底板７１に取り付けるためのビス７５が螺合するビス穴７６が形成されている。また、底板カバー７２には、ビス７５が挿入される挿入穴７７が形成されている。
【００２９】
底板７１は、ハウジング１０の内側の引っ込んだ位置に、溶接やビスなどにより固定される。ハウジング１０は、台車１１に形成された４個の挿入穴７８に六角ボルト７３を挿入し、ナット７９を六角ボルト７３に所定量螺合させることで、台車１１に連結される。
【００３０】
挿入穴７８は、六角ボルト７３と略同一の径に穿たれている。この挿入穴７８、および底板本体７１ａの挿入穴７４により、六角ボルト７３、ひいてはハウジング１０が、緩衝材７０を伸縮させながら、台車１１上で上下動し得るようになっている。また、ナット７９は、ディスクアレイ１５などが搭載されたハウジング１０が台車１１に載置された状態で、台車１１の上板１１ａから僅かな隙間が空くように六角ボルト７３に螺合される。なお、ハウジング１０を台車１１に載置し、六角ボルト７３にナット７９を螺合させた後に、六角ボルト７３の頭と底板本体７１ａとの接触部分や、六角ボルト７３とナット７９とを接着剤などにより固着してもよい。
【００３１】
ハウジング１０の底部には、底板７１がハウジング１０の内側の引っ込んだ位置に固定されることにより、凹部８０が形成されている。凹部８０は、台車１１の外形と略同寸法となっており、台車１１がその内部に緩やかに嵌め込まれる。この凹部８０により、緩衝材７０や底板７１、底板カバー７２、六角ボルト７３などが隠蔽され、ディスクアレイ装置２の美観が整えられる。
【００３２】
次に、上記実施形態による作用について説明する。まず、凹部８０に台車１１を嵌め込み、ハウジング１０を台車１１に載置した後、底板本体７１ａの挿入穴７４、および台車１１の上板１１ａの挿入穴７８に六角ボルト７３を挿入する。
【００３３】
六角ボルト７３にナット７９を所定量螺合させ、ハウジング１０と台車１１とを連結する。そして、底板カバー７２を底板７１上に設置し、ビス７５を挿入穴７７に挿入して、ビス７５をビス穴７６に螺合させ、底板カバー７２を底板７１に取り付ける。最後に、前述した手順で組み立てられたディスクアレイ１５や、冷却ファン１６、１９などをハウジング１０に搭載する。      
【００３４】
各種部品の搭載後、キャスター１２を台車１１に取り付け、把手１７を操作してディスクアレイ装置２を運搬・設置する。このとき、ハウジング１０に衝撃や振動が加わると、緩衝材７０が衝撃や振動が加わった方向に圧縮変形され、六角ボルト７３が挿入穴７４、７８に沿って移動する。これに伴って、凹部８０を形成するハウジング１０の内壁面が、台車１１の側板に沿って移動する。その後、緩衝材７０の復元力によりハウジング１０が定常状態に戻され、衝撃や振動が吸収される。
【００３５】
上記のような構成であると、作業者はディスクアレイ装置２の取り扱いに格別の注意を払う必要が無く、ディスクアレイ装置２を設置場所まで運搬するだけでよい。また、ＨＤＤ３１にデータを格納した状態で別の場所に運搬してデータ解析をすることができる。      
【００３６】
なお、緩衝材７０を、底板７１側に取り付けてもよい。また、図９に示すように、台車１１に凹部９０を穿ち、この凹部９０にハウジング１０を嵌め込んでもよい。
【００３７】
上記実施形態では、ホルダ３２が８個据え付けられたディスクアレイ１５を例示したが、ホルダの個数は特に限定されない。同様に、ディスクアレイ装置２に搭載するディスクアレイ１５の台数も２台以上であってもよい。
【００３８】
ホルダ３２に保持される記録再生手段としては、上記実施形態のＨＤＤ３１に限らず、例えば光ディスク、光磁気ディスク、フロッピー（Ｒ）ディスク、ＣＤ−ＲＯＭなどのドライバでもよい。また、上記実施形態では、電子機器としてディスクアレイ装置２を挙げて説明したが、サーバ、ルータ、アンプ、電源、測定器、通信器などの電子装置を搭載した電子機器に対しても、本発明を適用することが可能である。
【図面の簡単な説明】
【００３９】
【図１】本発明を適用したディスクアレイ装置の正面外観斜視図である。
【図２】ディスクアレイ装置の背面外観斜視図である。
【図３】ディスクアレイの外観斜視図である。
【図４】ホルダの外観斜視図である。
【図５】ディスクアレイの下部斜視図である。
【図６】嵌合片と受け溝とが嵌合した状態を示す拡大平面図である。
【図７】ディスクアレイ装置の下部分解斜視図である。
【図８】ディスクアレイ装置の下部周辺の拡大断面図である。
【図９】本発明の別の実施形態を示す図である。
【符号の説明】
【００４０】
２    ディスクアレイ装置
１０    ハウジング
１１    台車
１１ａ    上板
１２    キャスター
１５    ディスクアレイ
３１    ハードディスクドライブ（ＨＤＤ）
３２    ホルダ
４７    嵌合片
５２    受け溝
７０    緩衝材
７１    底板
７２    底板カバー
７３    六角ボルト
７４、７８    挿入穴
７９    ナット
８０、９０    凹部
【図１】
2005063514.tif 000003
【図２】
2005063514.tif 000004
【図３】
2005063514.tif 000005
【図４】
2005063514.tif 000006
【図５】
2005063514.tif 000007
【図６】
2005063514.tif 000008
【図７】
2005063514.tif 000009
【図８】
2005063514.tif 000010
【図９】
2005063514.tif 000011